(57)【要約】      （修正有）【課題】駅前等の屋外広場のバス停留所に縦型の方形状の広告塔を設置する。該広告塔は、遠方より視認可能な大型とし、該広告塔には、表裏面にモバイルパネルの画像表示装置であるディスプレイを装設し、その他、発車時刻表板、フィルム等よりなる広告板を装設したバス停広告塔を提供する。【解決手段】広告塔本体には、上部よりバス路線表示板２、ディスプレイ３、発車時刻表板４及び各種の広告板５を着脱自在に装設し、且つ最上面に発電用の太陽光発電パネル９を装設し、内部には、上部よりスピーカー、ディスプレイ受信機及び照明器具を装設し、下方には、バッテリー及び電気差入口を収納装設したことを特徴としている。【選択図】図５
0003149498.tif 000002
【実用新案登録請求の範囲】
【請求項１】
立体的よりなる広告塔本体（１）は、略方形状より形成され、該広告塔本体（１）には、表裏の上部よりバス路線表示板（２）とディスプレイ（３）及び発車時刻表板（４）とを配設し、且つ該広告塔本体（１）には、基礎安定板（７）を敷設した事を特徴とするバス停広告塔。
【請求項２】
請求項１における該バス路線表示板（２）の下部に透明性を有する合成樹脂製よりなる取替自在の広告板（５）を装設した請求項１よりなるバス停広告塔。
【請求項３】
該広告塔本体（１）には、最上面に太陽光発電パネル（９）を装設した請求項１及び請求項２のバス停広告塔。
【請求項４】
広告塔本体（１）には、内部の上部より、スピーカー（１３）、ディスプレイ受信機（１０）及び照明器具（１１）を収納装設し、且つ該広告塔本体（１）の下方には、バッテリー（１２）及び電気差入口（１４）を収納装設した請求項１、２又は３記載のバス停広告塔。
【考案の詳細な説明】
【技術分野】
【０００１】  本考案は、駅前等の広場におけるバスの停留所に方形状で大型の広告塔を設置するものであって、上部よりバス路線表示板、ディスプレイ、発車時刻表板及び広告板等を装設し、且つ上端に発電用の太陽光発電パネルを装設したことを特徴とするバス停広告塔に関するものである。
【背景技術】
【０００２】  従来この種のバス停留所におけるバス案内板は、バスの時刻表を主体として作成され、従って、案内板の時刻表も小さく夜間等では視認が不便であると共に、バスの案内板も小型化されている現状である。また、案内板には、広告等が、有効に配慮されてなく、照明等も施されて無く、大変利用に不便であると云う問題点もある。
【考案の開示】
【考案が解決しようとする課題】
【０００３】  従来この種のバス停の案内板の上記の問題点を解決するもので、その目的とする所は、大型で安定設置型で遠方より視認できると共に、時刻表より広告の面積を大きくする。また、広告塔の役目を充分に果し、且つ、広告塔本体の内部には、スピーカー、ディスプレイ受信機及び照明器具を装設するものである。そして、特に該広告塔本体の最上部に太陽光発電パネルを装設して太陽光発電と通常電気の２種の電気を使用して内部より時刻表及び広告板の視認を容易としたものである。
【課題を解決するための手段】
【０００４】  上記目的を達成するために、本考案は、方形状よりなる広告塔本体には、表裏の上部より、バス路線表示板、ディスプレイ及び発車時刻表板と、その下部に透明な合成樹脂製よりなる取替自在の広告板を装設する。
また、該広告塔本体には、最上部に発電用の太陽光発電パネルを設置する。
更に、該広告塔本体の内部には、上部より、スピーカー、ディスプレイ受信機及び照明器具を装設収納すると共に、その下方には、バッテリー、電気差入口等を装設収納するものである。
【考案の効果】
【０００５】  本考案は、上記の如く構成されているので、方形状で設置型であるので、従来のものより、非常に安定が良好で、且つ、高さ及び横幅等が大きく形成できるので、時刻表及び広告面を著しく視認しやすくなる効果がある。
更に、広告塔本体の表裏に設けた透明な合成樹脂製の発車時刻表板及び広告板は、取替自在のため大変に便利である効果と、内部のＬＥＤ照明により視認が容易であると共に、夜間における防犯になる役目を果たす効果もある。
また、広告塔本体の上部に設けた太陽光発電パネルによっては、電線は太陽光発電のみでも使用できるため、通常電気を著しく節電できる効果がある。
そして、広告塔本体には、内部にスピーカー、ディスプレイ受信機及び照明器具及びバッテリー等が、充分に収納でき便利であると共に、音声及び有線、無線にて配信もでき、広告効果を著しく向上できる効果もある。
【考案を実施するための最良の形態】
【０００６】  次に、本考案の実施用法を説明すると、広告塔本体を駅前の広場のバス停留所に固定設置する。表裏の時刻表板及びその他のスペースは、全て広告の役目を果すと共に、透明な合成樹脂類で作成した広告板は、差し換え自在に構成される。また、表裏のディスプレイ、発車時刻表板及び各種の広告板を内部の照明器具によって照らすため、夜間でも充分に表示が視認できる。そして、３内部のディスプレイ受信機の設置により、有線及び無線にて配信センターより広告を実施できるものである。
【実施例】
【０００７】  次に、本考案の実施例を図面について説明すると、図１〜図２において、広告塔本体（１）には、外枠を金属製の堅牢なものとし、外壁はプラスチック等の透明で堅牢にして雨漏洩のない構造とし、表裏面には、上部よりバス路線表示板（２）を装設し、該バス路線表示板（２）の下部にディスプレイ（３）を装設する。該ディスプレイ（３）の下部には、バス発着の発車時刻表板（４）を装設する。該広告塔本体（１）には、下端に支柱（８）等を設けた鉄板等の基礎安定板（７）を一体に形成してある。
図３に示す実施例では、該発車時刻表板（４）の下部には、着脱が自在で容易にできる広告用ポスター等の透視性の高い性質のフィルム等よりなる広告板（５）を装設したものである。
次に、図４〜図５に示す実施例では、図１と図２との該広告塔本体（１）の最上部に太陽光発電パネル（９）を装設し、発生した電力は内部に設けたバッテリー（１２）に一旦蓄電するものである。
図６に示す実施例では、駭広告塔本体（１）の内部を開示した縦断側面であって、内部の上部よりスピーカー（１３）及びパーソナルコンピューター及び携帯電話等のディスプレイ受信機（１０）を収納配設する。また、該広告塔本体（１）には、内部に照明器具（１１）と、下部には、バッテリー（１２）と電気差入口（１４）を収納装設した構成となっている。
【図面の簡単な説明】
【０００８】
【図１】  本考案の広告塔本体の全体斜面図である。
【図２】  同じく本考案の正面図である。
【図３】  本考案の広告板を装設した正面図である。
【図４】  本考案の広告塔本体の上部に太陽光発電パネルを装設した正面図である。
【図５】  同じく本考案の広告板を装設した広告塔本体の上部に太陽光発電パネルを装設した正面図である。
【図６】  本考案の広告塔本体の内部を開示した縦断側面図である。
【符号の説明】
【０００９】  １        広告塔本体
２        バス路線表示板
３        ディスプレイ
４        発車時刻表板
５        広告板
７        基礎安定板
８        支柱
９        太陽光発電パネル
１０        ディスプレイ受信機
１１        照明器具
１２        バッテリー
１３        スピーカー
１４        電気差入口
【図１】
0003149498.tif 000003
【図２】
0003149498.tif 000004
【図３】
0003149498.tif 000005
【図４】
0003149498.tif 000006
【図５】
0003149498.tif 000007
【図６】
0003149498.tif 000008
【手続補正書】
【提出日】平成20年12月19日(2008.12.19)
【手続補正１】
【補正対象書類名】実用新案登録請求の範囲
【補正対象項目名】請求項３
【補正方法】変更
【補正の内容】
【請求項３】
該広告塔本体（１）には、最上面に太陽光発電パネル（９）を装設した請求項１又は請求項２記載のバス停広告塔。